(57)【特許請求の範囲】
【請求項１】
一対のダハ面および該ダハ面により反射された光束を接眼部に導くための第３反射面を有する光学部材と、
発光部がカメラボディ内に格納される格納位置と、発光部がカメラボディから突出する使用位置との間で回動可能な内蔵閃光器とを有する一眼レフカメラにおいて、
前記内蔵閃光器は、撮影光軸に平行な回動軸を中心に回動するとともに、前記格納位置にあるときには前記発光部が前記光学部材の一方のダハ面に沿うよう構成されていることを特徴とする閃光器内蔵一眼レフカメラ。
【請求項２】
前記回動軸を前記光学部材の他方のダハ面の上方に設けたことを特徴とする請求項１に記載の閃光器内蔵一眼レフカメラ。
【請求項３】
前記回動軸を、前記カメラボディの前記一方のダハ面側端部に設けたことを特徴とする請求項１に記載の閃光器内蔵一眼レフカメラ。
【請求項４】
前記閃光器が前記格納位置にあるときに前記発光部の前面が前記カメラボディによって覆われるよう構成したことを特徴とする請求項１〜３のいずれかに記載の閃光器内蔵一眼レフカメラ。
【請求項５】
前記光学部材は、ミラーで形成されており、ペンタプリズムと同等の機能を果す光学部材であることを特徴とする請求項１〜４のいずれかに記載の閃光器内蔵一眼レフカメラ。
【発明の詳細な説明】
【０００１】
【発明の属する技術分野】
本発明は、格納位置と使用位置との間で回動可能な閃光器を内蔵したカメラに関する。
【０００２】
【従来の技術】
従来の閃光器内蔵一眼レフカメラの一例を図７〜図９に示す。
符号５０で示す閃光器は、光源であるキセノン管５１ａ、キセノン管５１ａの閃光を一様な照度に配光するためのリフレクタ５１ｂおよびキセノン管５１ａの前部に配置されるプロテクタ５１ｃから成る発光部５１と、発光部５１を収容支持する上下ケース５２，５３とから構成され、上ケース５２はカメラ背面側の軸支部に回動可能に軸支される。４は２つのダハ面４ａ，４ｂと、第３反射面４ｃ（ダハ面４ａ，４ｂで反射された光を接眼部７０に導くための反射面）とを備え、撮影レンズの透過光をファインダ接眼部７０へ導くためのペンタプリズムである。
閃光器５０は、非使用時には図９に示す格納位置をとり、このとき発光部５１はペンタプリズム４の前頭部に位置する。この状態で所定の操作を行うと、上ケース５２がカメラに対して時計回り方向に回動して閃光器５０は図７，図８に示す使用位置に達し、閃光撮影が可能となる。
【０００３】
【発明が解決しようとする課題】
このように従来のカメラでは、閃光器５０がカメラ横方向（撮影光軸と直交する方向）の軸を中心として回動式にポップアップする構成のため、閃光器が格納位置にあるときには発光部がペンタプリズム４の前頭部に位置する。加えて発光部の保護を重視すると、符号１６で示すような保護部材をカメラ前面に張り出す必要がある。このため、格納位置，使用位置を問わずカメラの奥行寸法（光軸方向の厚さ寸法）が大きくなり、携帯性，収納性に問題がある。
【０００４】
本発明の目的は、カメラ本体の奥行寸法を最小限に小さくしつつ従来と同等の閃光撮影が可能な閃光器内蔵一眼レフカメラを提供することにある。
【０００５】
【課題を解決するための手段】
一実施の形態を示す図１〜図４に対応づけて説明すると、本発明は、一対のダハ面４ａ，４ｂおよびダハ面４ａ，４ｂにより反射された光束を接眼部７０に導くための第３反射面４ｃを有する光学部材４と、発光部２１がカメラボディ１０内に格納される格納位置と、発光部２１がカメラボディ１０から突出する使用位置との間で回動可能な内蔵閃光器２０とを有する一眼レフカメラに適用される。そして、内蔵閃光器２０を次のように構成することにより上記問題点を解決する。
内蔵閃光器２０は、撮影光軸に平行な回動軸２２ｂを中心に回動するとともに、格納位置にあるときには発光部２１が光学部材４の一方のダハ面４ａに沿うよう構成されている。
請求項２の発明は、回動軸２２ｂを光学部材４の他方のダハ面４ｂの上方に設けたものである。
請求項３の発明は、図５，図６に示すように、回動軸２３ａをカメラボディの一方のダハ面４ａ側端部に設けたものである。
請求項４の発明は、閃光器２０が格納位置にあるときに発光部２１の前面がカメラボディ１０によって覆われるよう構成したものである。
請求項５の発明は、上記光学部材として、ミラーで形成されペンタプリズムと同等の機能を果す光学部材を用いたものである。
なお、本発明の構成を説明する上記課題を解決するための手段の項では、本発明を分かり易くするために実施の形態の図を用いたが、これにより本発明が実施の形態に限定されるものではない。
【０００６】
【発明の実施の形態】
図１〜図４は本発明の一実施の形態に係る閃光器内蔵一眼レフカメラであり、撮影レンズ鏡筒を取外した状態を示している。
１，２，３はカメラボディ１０の外郭を構成する前カバー，後カバーおよび上カバーを示し、カメラボディ１０の上部にはファインダ光学系を構成するペンタプリズム４が配置されている。ペンタプリズム４は、頂部から左右に下る一対のダハ面４ａ，４ｂと、第３反射面４ｃとを有し、これらのダハ面４ａ，４ｂおよび第３反射面４ｃを介して撮影レンズの透過被写体光を不図示の接眼レンズに導く。
なお、本実施の形態ではペンタプリズム４を用いているが、これに代えて、例えばミラーで形成された２つのダハ面と第３反射面とを持ち、ペンタプリズムと同等の機能を果す光学部材（ミラーペンタ）を用いてもよい。
【０００７】
カメラボディ１０の上部に配置される内蔵閃光器２０は、キセノン管２１ａやリフレクタ，プロテクタ（不図示）から成る発光部２１と、発光部２１を支持する支持部（発光部を上下から支持する上下ケースから成る）２２とから構成され、図１，図２に示す格納位置と図３，図４に示す使用位置とをとり得る。支持部２２は腕部２２ａを有し、その腕部２２ａの先端がカメラボディ上部の回動軸２２ｂを中心として回動可能に軸支される。回動軸２２ｂはペンタプリズム４のダハ面４ｂの上方に配置され、カメラ前後方向（撮影光軸と平行な方向）に延設される。また支持部２２は不図示の付勢機構により図２，図４の反時計回り方向に常に付勢され、閃光器２０が格納位置にあるときには係止機構（不図示）によって反時計回り方向の回動が阻止されている。閃光器２０はカメラ上方から見たときには図１に示すような矩形形状を呈し、カメラ厚さ方向（撮影光軸方向）の略中央部に位置する。
【０００８】
格納位置にある閃光器２０はカメラボディ１０の前後カバー１，２に挟まれ、かつ回動軸２２ｂと発光部２１との間にペンタプリズムの頂部が位置する状態となっている。このとき発光部２１は、キセノン管２１ａの長手軸が一方のダハ面４ａと略平行になるようにダハ面４ａに沿って配置され、発光部２１の前面は前カバー１で覆われている。この状態では撮影を行ってもキセノン管は発光しない。
【０００９】
閃光器２０を使用すべく所定操作を行うと、上記係止部材と支持部２２との係合が外れ、閃光器２０は付勢機構の付勢力によって回動軸２２ｂを中心として反時計回り方向に回動する。そして、図３，図４に示す使用位置に達すると不図示のストッパによりその回動が阻止される。使用位置では腕部２２ａが斜めに延在し、キセノン管２１ａの長手軸が水平となる。この状態でレリーズ操作するとシャッタレリーズに同期にしてキセノン管が閃光発光し、閃光撮影が行われる。
閃光器２０を格納するには、指で発光部の辺りを下方に押すことにより閃光器２０を時計回り方向に格納位置まで回動させればよい。
【００１０】
以上のように本実施の形態では、内蔵閃光器２０が撮影光軸に平行な回動軸２２ｂを中心に回動するようにし、格納位置では発光部２１がペンタプリズム４の一方のダハ面４ａに沿うようにした。因みに従来の一眼レフカメラでは、ペンタプリズムのダハ面が比較的急な傾斜面であることもあり、ダハ面の上部スペースにカメラ構成部材を配設することはあまり考慮されていなかった。本発明ではこの点に着目し、スペースを有効利用するためにペンタプリズム４のダハ面４ａに沿って閃光器２０の発光部２１を配設したので、発光部２１がカメラボディの前面から突出することがない。また、閃光器２０が収納位置にあるときに発光部２１の前面がカメラボディ１０の前カバー１で覆われ保護されるので、従来のように保護部材をカメラボディ前面から張り出す必要がない。したがって、格納位置，発光位置ともにカメラボディの奥行寸法を小さくでき、携帯性，収納性に富んだ閃光器内蔵一眼レフカメラを提供できる。また発光部２１の光軸を従来と同等に撮影光軸から遠ざけることができるので、赤目軽減機能が従来と比べて劣ることはない。
【００１１】
図５および図６は他の実施の形態に係る閃光器内蔵一眼レフカメラを示し、図１〜図４と同様の構成要素には同一の符号を付してある。
本実施の形態における内蔵閃光器２０’は、上述と同様の発光部２１と、発光部２１を支持する支持部２３とから構成されている。支持部２３の一端はカメラボディ１０の図示右側端部（ダハ面４ａ側端部）に回動軸２３ａを介して回動可能に軸支される。回動軸２３ａの延在方向は撮影光軸と平行な方向である。支持部２３は不図示の付勢機構により図６の時計回り方向に常に付勢され、閃光器２０’が格納位置にあるときには係止機構（不図示）によって反時計回り方向の回動が阻止されている。
【００１２】
閃光器２０’が破線で示す格納位置にあるときには、上述と同様に発光部２１はキセノン管２１ａの長手軸が一方のダハ面４ａと略平行になるようにダハ面４ａに沿って配置され、発光部２１の前面は前カバー１で覆われている。所定操作によって上記係止部材と支持部２３との係合が外れると、閃光器２０は付勢機構の付勢力によって回動軸２３ａを中心に時計回り方向に回動し、実線で示す使用位置に達すると不図示のストッパによりその回動が阻止される。使用位置ではキセノン管２１ａの長手軸が水平となる。
本実施の形態によれば、第１の実施の形態と同様の効果が得られる。
【００１３】
【発明の効果】
本発明によれば、一対のダハ面およびダハ面により反射された光束を接眼部に導くための第３反射面を有する光学部材を備えた閃光器内蔵一眼レフカメラにおいて、内蔵閃光器が撮影光軸に平行な回動軸を中心に回動するとともに、格納位置では発光部が上記光学部材の一方のダハ面に沿うようにしたので、格納位置，使用位置を問わず発光部が光学部材の前頭部に収納する場合と比べてカメラの奥行寸法を小さくでき、カメラの携帯性，収納性の向上が図れる。また発光部の光軸を従来と同等に撮影光軸から遠ざけることができるので、赤目軽減機能が従来と比べて劣ることはない。さらに本発明によれば次のような効果も得られる。
すなわち、従来は光軸と直交する軸回りに発光部が回動する構成であったため、適正な配光が得られるポップアップ位置が限定されていた。本発明は光軸と平行に回動軸を配置したため、発光面が常に被写体に対面しており、多少のポップアップ位置のずれに対して配光が変ることがない。したがってポップアップした発光部が例えば撮影者の帽子のひさし等で不用意に下げられた場合でも実用上問題のない写真が得られる。
【図面の簡単な説明】
【図１】本発明の一実施の形態に係る閃光器内蔵一眼レフカメラの平面図であり、閃光器が格納位置にある状態を示す。
【図２】図１のカメラの正面図。
【図３】図１と同様の図であり、閃光器が使用位置にある状態を示す。
【図４】図３のカメラの正面図。
【図５】本発明の他の実施の形態に係る閃光器内蔵一眼レフカメラの平面図。
【図６】図５のカメラの正面図。
【図７】従来の閃光器内蔵一眼レフカメラの正面図。
【図８】図７のカメラの側面図。
【図９】図７のカメラの側面断面図。
【符号の説明】
１  前カバー
２  後カバー
３  上カバー
４  ペンタプリズム
４ａ，４ｂ  ダハ面
１０  カメラボディ
２０，２０’  閃光器
２１  発光部
２１ａ  キセノン管
２２，２３  保持部
２２ａ  腕部
２２ｂ，２３ａ  回動軸
【図１】
0003728848.tif 000002
【図２】
0003728848.tif 000003
【図３】
0003728848.tif 000004
【図４】
0003728848.tif 000005
【図５】
0003728848.tif 000006
【図６】
0003728848.tif 000007
【図７】
0003728848.tif 000008
【図８】
0003728848.tif 000009
【図９】
0003728848.tif 000010